(57)【特許請求の範囲】
【請求項１】
(ａ)一体に形成され、相手方同軸コネクタの少なくとも中心コンタクトが導入される凹部と、固定端子挿入用の長孔及び可動端子挿入用の長孔が設けられた絶縁ケースと、
(ｂ)前記絶縁ケースの凹部内に、前記中心コンタクトの導入方向に対して略直角の方向に突出するように配設された内部端子であって、互いに離接する固定端子及び可動端子を備えてなり、相手側同軸コネクタの非装着時には、自らのばね性により前記中心コンタクトの導入方向に対向する方向であって、中心コンタクトの導入方向と逆側の方向に付勢された可動端子が固定端子に当接して両者が導通する一方、相手側同軸コネクタの装着時には、凹部内に導入される中心コンタクトにより、可動端子が凹部の奥側の、中心コンタクトの導入方向に押し付けられて固定端子から解離するように構成された内部端子と、
(ｃ)前記絶縁ケースの外側に配設され、相手側同軸コネクタの装着時に相手方同軸コネクタの外導体と接触する外部端子と
を具備し、
(ｄ)前記内部端子を構成する固定端子及び可動端子はそれぞれ、前記絶縁ケースに形成された固定端子挿入用の長孔及び可動端子挿入用の長孔から絶縁ケースの内部に挿入され、凸部により絶縁ケースに係止固定されているとともに、前記固定端子及び可動端子が、前記絶縁ケースの凹部内周面の略対向する位置から凹部内の、前記中心コンタクトの導入により可動端子を変形させて固定端子から解離させるには足りるが、それを大幅に越えない距離だけ底面より離れた位置に、前記相手側同軸コネクタの中心コンタクトの導入方向に対して略直角の方向に突出するように配設されており、かつ、
(ｅ)絶縁ケースが略直方体形状を有し、
可動端子及び固定端子のリード部分が絶縁ケースの下側へ回り込み、絶縁ケースの裏面と略面一の接続端部となっている一方、
外部端子は、絶縁ケースに被着された、長手方向断面形状が略コ字状の板状体であって、前記絶縁ケースの上面を覆うように配設される中央のフラット部には、相手方同軸コネクタを絶縁ケースの凹部内に導入するための貫通孔が形成されているとともに、前記フラット部の両側に続く曲折部が絶縁ケースの側壁の外表面を伝って絶縁ケースの下側へ回り込み、絶縁ケースの裏面と略面一の接続端部となるように構成されていること
を特徴とする同軸コネクタ。
【請求項２】
前記絶縁ケースと前記外部端子が一体成形されていることを特徴とする請求項１記載の同軸コネクタ。
【発明の詳細な説明】
【０００１】
【発明の属する技術分野】
本発明は、携帯型の小型電子機器などに使用される同軸コネクタに関し、より詳しくは、絶縁ケース内に可動端子と固定端子が配設されていて、相手方同軸コネクタの着脱に伴って可動端子と固定端子が接触・解離する同軸コネクタに関する。
【従来の技術】
【０００２】
携帯電話などの携帯通信機器に使われる従来の同軸コネクタとしては、例えば、図１０に示すような構造を有するコネクタがある。この従来の同軸コネクタ８０は、円筒状の絶縁ケース８１の凹部８２に、固定端子８３とバネ性を有する可動端子８４が配設された構造を有している。両端子８３，８４は、その一方の端部（左側端部）が取り付けされており、凹部８２の上下面に沿って互いに所定の間隔をおいて右側に延設されている。また、絶縁ケース８１の外側には、円筒状の外部端子８６が絶縁ケース８１の円筒周面８５に密着するようにして配設されている。
【０００３】
そして、固定端子８３と可動端子８４は、相手側同軸コネクタが装着されていない場合には、可動端子８４が自らのバネ性による付勢力で固定端子８３に接触している。一方、この同軸コネクタ８０に相手方同軸コネクタが装着されると、図１１に示すように、導入口８７から導入された中心コンタクト８８により可動端子８４が押し上げられて固定端子８３から解離し、その状態で中心コンタクト８８と可動端子８４が接触するとともに、相手方同軸コネクタの外導体（図示省略）も同軸コネクタ８０の外部端子８６と接触することになる。
【０００４】
【発明が解決しようとする課題】
しかし、上記従来の同軸コネクタ８０においては、両端子８３，８４と相手方同軸コネクタの中心コンタクト８８が縦に直列につながる配置となっており、同軸コネクタ８０の左右寸法が、〔端子の全長〕と〔中心コンタクトの全長〕を合わせた寸法より短くすることができないことから、小型化及び薄型化を図ることが困難であるという問題点があり、携帯通信機器などのさらなるコンパクト化の要望を満たすに至っていないのが実情である。
【０００５】
また、図１０に示す構成のままで小型化を図ろうとすると、中心コンタクト８８を導入するための導入口８７の寸法を縮小することが必要になるが、それに伴って解離中の両端子８３，８４の間隔が狭くなり、両端子８３，８４の間の高周波信号に対する電気的絶縁（アイソレーション）が不十分になるという問題点がある。
【０００６】
このように薄型化が困難なのは、両端子８３，８４が上下に相当の距離ＬＹを隔てて配設されており、この距離ＬＹが同軸コネクタ８０の厚み寸法に必ず加わる結果、厚み寸法を小さくすることが妨げられることによるものである。もちろん、この距離ＬＹを短くすれば厚み寸法は小さくなるが、上述のように、両端子８３，８４が全面的に接近する結果、解離中の両端子８３，８４の間の高周波信号に対する電気的絶縁が不十分となることから、距離ＬＹの短縮による薄型化は困難である。
【０００７】
本発明は、上記問題点を解決するものであり、十分な小型化及び薄型化を図ることが可能な同軸コネクタを提供することを目的とする。
【０００８】
【課題を解決するための手段】
上記目的を達成するため、本発明（請求項１）の同軸コネクタは、
(ａ)一体に形成され、相手方同軸コネクタの少なくとも中心コンタクトが導入される凹部と、固定端子挿入用の長孔及び可動端子挿入用の長孔が設けられた絶縁ケースと、
(ｂ)前記絶縁ケースの凹部内に、前記中心コンタクトの導入方向に対して略直角の方向に突出するように配設された内部端子であって、互いに離接する固定端子及び可動端子を備えてなり、相手側同軸コネクタの非装着時には、自らのばね性により前記中心コンタクトの導入方向に対向する方向であって、中心コンタクトの導入方向と逆側の方向に付勢された可動端子が固定端子に当接して両者が導通する一方、相手側同軸コネクタの装着時には、凹部内に導入される中心コンタクトにより、可動端子が凹部の奥側の、中心コンタクトの導入方向に押し付けられて固定端子から解離するように構成された内部端子と、
(ｃ)前記絶縁ケースの外側に配設され、相手側同軸コネクタの装着時に相手方同軸コネクタの外導体と接触する外部端子と
を具備し、
(ｄ)前記内部端子を構成する固定端子及び可動端子はそれぞれ、前記絶縁ケースに形成された固定端子挿入用の長孔及び可動端子挿入用の長孔から絶縁ケースの内部に挿入され、凸部により絶縁ケースに係止固定されているとともに、前記固定端子及び可動端子が、前記絶縁ケースの凹部内周面の略対向する位置から凹部内の、前記中心コンタクトの導入により可動端子を変形させて固定端子から解離させるには足りるが、それを大幅に越えない距離だけ底面より離れた位置に、前記相手側同軸コネクタの中心コンタクトの導入方向に対して略直角の方向に突出するように配設されており、かつ、
(ｅ)絶縁ケースが略直方体形状を有し、
可動端子及び固定端子のリード部分が絶縁ケースの下側へ回り込み、絶縁ケースの裏面と略面一の接続端部となっている一方、
外部端子は、絶縁ケースに被着された、長手方向断面形状が略コ字状の板状体であって、前記絶縁ケースの上面を覆うように配設される中央のフラット部には、相手方同軸コネクタを絶縁ケースの凹部内に導入するための貫通孔が形成されているとともに、前記フラット部の両側に続く曲折部が絶縁ケースの側壁の外表面を伝って絶縁ケースの下側へ回り込み、絶縁ケースの裏面と略面一の接続端部となるように構成されていること
を具備することを特徴としている。
【０００９】
また、請求項２の同軸コネクタは、前記絶縁ケースと前記外部端子が一体成形されていることを特徴としている。
【００１０】
【作用】
本発明の同軸コネクタでは、可動端子及び固定端子が、一体に形成された絶縁ケースの凹部に、相手側同軸コネクタの中心コンタクトの導入方向に対して略直角の方向に突出するように配設されており、相手側同軸コネクタの非装着時は、自らのばね性により中心コンタクトの導入方向と逆側の方向に付勢された可動端子が固定端子に接触して両端子が電気的に接続された状態に保たれ、相手側同軸コネクタの装着時は、両端子に対して略直角の方向から導入される中心コンタクトの先端により可動端子が凹部の底面に向って押し下げられ、固定端子と解離することにより両端子の電気的接続が断たれる一方、中心コンタクトと可動端子が接触し電気的に接続されることになる。
【００１１】
そして、可動・固定の両端子と相手側同軸コネクタの中心コンタクトとが、従来例（図１０，図１１参照）のように平行な方向に配設されているのではなく、略直角に配置されていることから、端子と中心コンタクトの合計長さが同軸コネクタの寸法縮小を妨げることを防止できるようになる。
【００１２】
また、解離中の可動端子と固定端子の間隔は、中心コンタクトによる可動端子の底面に向う方向への押し込み量であるから、中心コンタクトの先端の到達位置を適当に設定しておくことにより、同軸コネクタ自体を小型化しても、解離中の両端子の間隔は十分に確保することが可能になる。すなわち、内部端子を構成する固定端子及び可動端子を、底面より所定の距離（中心コンタクトの導入により可動端子を変形させて固定端子から解離させるには足りるが、それを大幅に越えない距離）だけ離れた位置に配設することにより、本発明をより実行あらしめることができる。
【００１３】
また、可動端子及び固定端子を、従来例（図１０，図１１）のように上下に並べて配置するのではなく、互いに対向するように配設することにより、可動端子と固定端子を上下に大きく隔てて設置する必要がなくなり、両端子の配置が同軸コネクタの厚み寸法の縮小を妨げることが解消される。この点に関して理解を容易とするために、図１０に示す従来の同軸コネクタ８０を参照して説明すると、本発明の場合（可動端子及び固定端子を互いに対向するように配設した場合）には、固定端子８３が接触点Ｐの位置（つまり可動端子８４と同じ高さ位置）に位置することになる結果、距離ＬＺ分だけ厚み寸法を減らすことが可能になる。
【００１４】
また、可動端子及び固定端子のリード部分を絶縁ケースの下側へ回り込ませて絶縁ケースの裏面と略面一の接続端部とする一方、外部端子の両曲折部を絶縁ケースの下側へ回り込ませて絶縁ケースの裏面と略面一の接続端部とすることにより、基板表面に容易に実装を行なうことが可能になる。
【００１５】
また、絶縁ケースを略直方体形状とし、かつ、ケース上面に外部端子のフラット部を被着させることにより、自動実装機（チッププレーサー）による実装が容易になり、本発明をさらに実行あらしめることが可能になる。
【００１６】
また、絶縁ケースと外部端子を一体に成形するようにした場合には、絶縁ケースの製造と同時に絶縁ケースと外部端子の組み付けを行なうことが可能になり、製造コストの低減を図ることが可能になる。
【００１７】
【発明の実施の形態】
以下、本発明の実施の形態を示してその特徴とするところをさらに詳しく説明する。なお、ここでは、同軸コネクタとして、面実装可能な同軸レセプタクルを例にとって説明する。
図１は同軸レセプタクルの構造を示す断面図、図２は同軸レセプタクルの全体外観を示す斜視図、図３は同軸レセプタクルの前面外観を示す正面図、図４は同軸レセプタクルの上面外観を示す平面図、図５は同軸レセプタクルの側面外観を示す側面図である。
【００１８】
この同軸レセプタクル１は、直方体形状を有する合成樹脂製の絶縁ケース２と、絶縁ケース２の凹部（内部空間）３に配設された金属製の固定端子４及びばね製を有する金属材料からなる可動端子５からなる内部端子３０と、絶縁ケース２の主要部を覆うように配設された外部端子（外導体）４０とを備えて構成されている。絶縁ケース２の凹部３は、立設円柱形状の空間であって、上側が導入口７として円形に開口しており、相手方同軸コネクタの中心コンタクトは導入口７から下方へ進入することになる。
【００１９】
固定端子４は、絶縁ケース２に形成された凹部３の内側面の、底面２ａより一定距離だけ上方の位置から略水平に突出するようにして配設されている。他方の可動端子５は、固定端子４の突出位置とは凹部３を隔てて対抗する位置から略水平に配設されている。また、図１〜図４に示すように、固定端子４の幅広の板状部分が、側壁２Ａの長孔８を貫通し凹部３内に突出しており、また、可動端子５の先端部分が、側壁２Ｂの長孔９を貫通して凹部３の奥にまで突出し、固定端子４の下面に接触している。両端子４，５の表面に設けられた円状小凸部１０（図１）が長孔８，９の内壁面に係止して抜け止めとなっている。
【００２０】
上記の可動端子５は、自らのバネ性に因る付勢力によって固定端子４の下面に当接して、両端子４，５が確実に接触するように構成されている。なお、詳細には、固定端子５は下面に接点４ａを有しており、この接点４ａが可動端子５の上面と接触し、両者の導通が得られるように構成されている。
一方、固定端子４はリード部分が、図１に示すように、側壁２Ａの外表面を伝って絶縁ケース２の下側へ回り込んで伸延してゆき、絶縁ケース２の裏面２ｂと略面一の接続端部１１となっている。また、可動端子５のリード部分も、側壁２Ｂの外表面を伝って絶縁ケース２の下側へ回り込み、絶縁ケース２の裏面２ｂと略面一の接続端部１２となっている。
【００２１】
また、図１〜図５に示すように、相手側同軸コネクタの外導体と接触する金属製の外部端子４０は長手方向断面が略コ字状の板状体であって、板状体中央のフラット部４０ａがケース上面に被着されており、フラット部４０ａの両側に続く曲折部（脚部）４０ｂ，４０ｃが側壁２Ｃ，２Ｄの外表面をそれぞれ伝って絶縁ケース２の下側へ回り込み、絶縁ケース２の裏面２ｂと略面一の接続端部１３，１４となっている。さらに、フラット部４０ａにおける絶縁ケース２の導入口７に対応する部分は、相手方同軸コネクタの中心コンタクト導入のための貫通孔１５が導入口７と同径・同心となるように形成されている。
【００２２】
上記のように、両端子４，５の接続端部１１、１２及び外部端子４０の接続端部１３，１４が絶縁ケース２の裏面２ｂと略面一であるため、この同軸レセプタクル１は容易に面実装を行なうことができる。また、この同軸レセプタクル１は、上面にフラット部４０ａが被着され、平らな面となっているとともに、同軸レセプタクル１全体が略直方体形状を有しているため、自動実装の際の吸着が容易で、取扱性に優れているため、自動実装に好適なものとなっている。
ちなみに、図１０の従来の同軸コネクタ８０を自動実装をする場合、フラットで方形なものとするためには、追加部品８９が必要となり、厚み・大きさの増大やコスト上昇の問題を伴う。
【００２３】
また、同軸レセプタクル１では、外部端子４０と絶縁ケース２が一体成形されており、絶縁ケース２の製造と同時に絶縁ケース２と外部端子４０の組み付けが行われている。例えば、絶縁ケース製造用の金型内に別途に作製しておいた外部端子４０をセットした後、樹脂注入を行い絶縁ケース２を作製することにより、容易に一体成形することができる。このように、外部端子４０を一体成形するようにした場合、組み付け精度を向上させることが可能になるとともに、製造コストを低減することが可能になる。
【００２４】
次に、上記のようにして外部端子４０が組み付けられた絶縁ケース２に対する固定端子４及び可動端子５の装着方法を具体的に説明する。
固定端子４と可動端子５を予めプレス加工で別々に作製しておき、先ず、図６（ａ）に示すように、長孔８から固定端子４を凹部３に挿入したあと、長孔８より僅かに上方に位置する長孔９から、可動端子５を挿入する一方、上面を下方に押さえて先端が固定端子４の下面より低くなるように下げさせたまま、図６（ｂ）に示す位置まで押し込んだ後、可動端子５を下方に押さえつける力を取り除いて、そのばね性（図６（ｂ）に二点鎖線で示す元の形状（水平の形状）に戻ろうとする復元力）により、可動端子５を固定端子４の下面に当接させる。
【００２５】
なお、上記の例では、可動端子５を挿入する長孔９が、固定端子４を挿入する長穴８より上方にある場合について説明したが、図７(ａ)，(ｂ)に示すように、可動端子５を挿入する長孔９が、固定端子４を挿入する長穴８より下方にある場合にも、例えば、図７(ｂ)に二点鎖線で示すように、元の形状が上向きの形状であるような、大きいばね性を有する可動端子を用いることにより、上記の例と同様にして可動端子５を固定端子４の下面に当接させることが可能である。
なお、図７において、図６と同一の符号を付した部分は図６と同一の部分を示している。
【００２６】
このようにして、絶縁ケース２に両端子４，５を取り付けたあと、フープキャリアとの接続部分を切断することにより、両端子４，５の装着が終了し、図２に示すような同軸レセプタクル１が得られる。なお、この同軸レセプタクル１の寸法そしては、縦・横３．５ｍｍ、厚み（高さ）２ｍｍ程度の寸法が例示されるが、本発明はこれに限定されるものではない。
【００２７】
続いて、以上に説明した同軸レセプタクル１の動作を図８及び図９を参照しながら説明する。
図８（ａ）に示すように、相手方同軸コネクタである同軸プラグ２１が装着されていないときには、可動端子５が自らのバネ性による付勢力で固定端子４に接触しており、両端子４，５が電気的に接続されている。その結果、図８（ｂ）に示すように、可動端子５の入力ＩＮは固定端子４から出力ＯＵＴとして送出される。もちろん、同軸プラグ２１の中心コンタクト２２は開放状態ＯＰＥＮのままである。
【００２８】
反対に、図９（ａ）に示すように、相手方同軸コネクタである同軸プラグ２１が装着されているときには、上方の導入口７及び貫通孔１５から導入される中心コンタクト２２により可動端子５が下方へ押し下げられ、可動端子５が固定端子４から離れて両端子４，５の電気的接続が断たれる一方、中心コンタクト２２と可動端子５が接触する。その結果、図９（ｂ）に示すように、可動端子５の入力ＩＮが中心コンタクト２２から出力ＯＵＴとして送出されるようになる。もちろん、固定端子４の方は、開放状態ＯＰＥＮに変化する。そして、同時に同軸プラグ２１の外導体２３が同軸レセプタクル１の外部端子４０に接触して、外導体２３も外部端子４０と電気的に接続される。
【００２９】
なお、上記の実施の形態では、外部端子４０と絶縁ケース２が一体成形されている場合について説明したが、絶縁ケース２と外部端子４０を個別に作製した後、両者を組み付けることによっても本願発明の同軸コネクタを得ることが可能であることはいうまでもない。
【００３０】
本発明は、さらにその他の点においても上記実施の形態に限定されるものではなく、発明の要旨の範囲内において、種々の応用、変形を加えることが可能である。
【００３１】
【発明の効果】
本発明の同軸コネクタにおいては、可動端子及び固定端子と相手側同軸コネクタの中心コンタクトとが、従来の同軸コネクタのように平行な方向に配設されているのではなく、略直角に配置されていることから、端子と中心コンタクトの合計長さが同軸コネクタの寸法縮小を阻む事態が解消されるとともに、相手方同軸コネクタの中心コンタクトの先端が、可動端子を絶縁ケースの凹部奥側に押し込んで可動端子と固定端子を解離する構成であることから、解離中の可動端子と固定端子の間隔を十分に確保することが可能になり、同軸コネクタの大幅な小型化を実現することができる。
【００３２】
さらに、本発明の同軸コネクタにおいては、従来の同軸コネクタのように可動端子と固定端子を上下に大きく隔てて配置する必要がなくなり、十分な薄型化を実現することができる。
【００３３】
可動端子及び固定端子のリード部分を絶縁ケースの下側へ回り込ませて絶縁ケースの裏面と略面一の接続端部とする一方、外部端子の両曲折部を絶縁ケースの下側へ回り込ませて絶縁ケースの裏面と略面一の接続端部とすることにより、基板表面に容易に実装を行なうことが可能な面実装型の同軸コネクタを得ることができる。
【００３４】
また、絶縁ケースを略直方体形状とし、かつ、ケース上面に外部端子のフラット部を被着させることにより、自動実装機（チッププレーサー）による実装が容易になり、本発明をさらに実行あらしめることが可能になる。
【００３５】
また、絶縁ケースと外部端子を一体に成形するようにした場合には、絶縁ケースの製造と同時に絶縁ケースと外部端子の組み付けを行なうことが可能になり、製造コストの低減を図ることが可能になる。
【図面の簡単な説明】
【図１】本発明の一実施形態にかかる同軸レセプタクルの構造を示す断面図である。
【図２】本発明の一実施形態にかかる同軸レセプタクルの全体外観を示す斜視図である。
【図３】本発明の一実施形態にかかる同軸レセプタクルの前面外観を示す正面図である。
【図４】本発明の一実施形態にかかる同軸レセプタクルの上面外観を示す平面図である。
【図５】本発明の一実施形態にかかる同軸レセプタクルの側面外観を示す側面図である。
【図６】本発明の一実施形態にかかる同軸レセプタクルの固定・可動の両端子の絶縁ケースへの装着方法を示す説明図である。
【図７】本発明の一実施形態にかかる同軸レセプタクルの固定・可動の両端子の絶縁ケースへの他の装着方法を示す説明図である。
【図８】相手方同軸プラグ未装着時の本発明の一実施形態にかかる同軸レセプタクルの動作説明図である。
【図９】相手方同軸プラグ装着時の本発明の一実施形態にかかる同軸レセプタクルの動作説明図である。
【図１０】従来の同軸コネクタの相手側同軸コネクタを装着していないときの状態を示す断面図である。
【図１１】従来の同軸コネクタの相手側同軸コネクタを装着したときの状態を示す断面図である。
【符号の説明】
１                            同軸レセプタクル（同軸コネクタ）
２                            絶縁ケース
２Ａ，２Ｂ，２Ｃ，２Ｄ        側壁
２ａ                          底面
２ｂ                          裏面
３                            凹部（内部空間）
４                            固定端子
４ａ                          接点
５                            可動端子
７                            導入口
８，９                        長孔
１０                          円状小凸部
１１，１２                    接続端部
１３，１４                    接続端部
１５                          貫通孔
２１                          相手方同軸コネクタ（同軸プラグ）
２２                          中心コンタクト
２３                          外導体
３０                          内部端子
４０                          外部端子
４０ａ                        フラット部
４０ｂ，４０ｃ                曲折部
【図１】
0003554948.tif 000002
【図２】
0003554948.tif 000003
【図３】
0003554948.tif 000004
【図４】
0003554948.tif 000005
【図５】
0003554948.tif 000006
【図６】
0003554948.tif 000007
【図７】
0003554948.tif 000008
【図８】
0003554948.tif 000009
【図９】
0003554948.tif 000010
【図１０】
0003554948.tif 000011
【図１１】
0003554948.tif 000012